(57)【特許請求の範囲】
【請求項１】
逆転裏刷り、表刷り、ターンバー反転裏刷り及びオフセット印刷、凸印刷のように印刷条件が異なり、かつそれぞれに見当調整機構を備えた複数の印刷ユニットのそれぞれの見当調整を１つの操作パネルにて行うようにした見当調整表示装置において、
操作パネルに、
各印刷ユニットの見当調整機構を指定するユニットボタンと、
各印刷ユニットの印刷条件を指定する条件指定ボタンと、
複数の移動量設定ボタンと、
上記各ユニットボタンにて指定された印刷ユニットの見当調整機構を上記条件指定ボタンによる指定に応じて上記移動量設定ボタンにより設定された移動量にわたって前進移動、後進移動、ＯＳ移動、ＧＳ移動の各移動を指示する各ボタンを有する移動コマンドボタンを設けた
ことを特徴とする見当調整表示装置。
【請求項２】
ユニットボタンを変色可能にすると共に、指定されたユニットボタンの色を選定する色選定手段を操作パネルに設けたことを特徴とする請求項１記載の見当調整表示装置。
【請求項３】
色選定手段がカラーコードであり、カラーコードを各印刷ユニットにて用いられる各色の濃淡にわたる色見本ボタンとしたことを特徴とする請求項２記載の見当調整表示装置。
【請求項４】
色選定手段がインキのラインアップ表示であることを特徴とする請求項２記載の見当調整表示装置。
【発明の詳細な説明】
【技術分野】
【０００１】
本発明は、オフセット印刷や凸印刷、あるいは表刷り印刷や裏刷り印刷が可能な複数の印刷ユニットを備える印刷機において、各印刷ユニットのインキ色を容易に把握でき、見当調整時の操作ミスが少ない操作パネルを備えた見当調整表示装置に関するものである。
【背景技術】
【０００２】
例えば図１に示すような、複数の印刷ユニットａ１，ａ２，ａ３，ａ４を直列状に配置してなる多色印刷機にあっては、各印刷ユニットａ１〜ａ４の各版胴ｂに天地・左右・ひねりの各方向への見当調整を行う見当調整機構ｃが設けられている。そしてこの見当調整機構ｃへの入力は入力手段ｄと印刷機全体を統合的に制御する演算制御手段ｅとを有する制御コンソールｆにて行われるようになっている（特許文献１参照）。
【０００３】
上記制御コンソールｆの表面に設けられる入力手段ｄには図２に示すように、上記印刷ユニットａ１〜ａ４に対応するユニット選択ボタンｇ１，ｇ２，ｇ３，ｇ４を有するボタン群ｇと数値入力ボタン群ｉとが設けてある。
【０００４】
数値入力ボタン群ｉは、これを押下することにより、上記ユニット選択ボタンｇ１〜ｇ４の押下によって選択された印刷ユニットの見当修正が必要とされる位置ずれ量である見当ずれ量が入力されるものであり、図中左側が天地／左右のずれ量を、右側がひねり量を入力するためのもので、ボタンの押下に対応して数値表示がなされて、この入力された数値通りに印刷ユニットの見当調整機構ｃが作動するようになっている。
【０００５】
【特許文献１】特開２００６−３１５２２８号公報
【発明の開示】
【発明が解決しようとする課題】
【０００６】
上記背景技術における見当調整表示装置にあっては、枚葉紙印刷機で、仕事はシート製品に限定され、片面にＫ，Ｃ，Ｍ，Ｙの印刷等、固定的に使われることが多く、見当調整操作で混乱することはない。例えば、Ｍ（マゼンタ）を天地方向に０．０５後退、操作側に０．１７移動する場合、図２の入力手段ｄで３番目の印刷ユニットのボタンｇ３を選択し、数値入力ボタン群ｉにて上記数値０．０５／０．１７を入力し、指定方向の見当ボタンを押下すればよいことがわかる。
【０００７】
しかし、複数の交換胴式フォーム印刷機を用いて連続紙にフォーム印刷を行う場合、図２に示すような入力手段ｄで直感的に操作するのは難しかった。一例として、８色印刷で、かつ表裏多色刷りを行う場合、用紙反転にはターンバーか逆転走行方式が、印刷にはオフセット印刷（３胴）か凸印刷（２胴）が使用されるが、例えば１〜４色目でＫ，Ｃ，Ｍ，Ｙのオフセット表刷りを順次行い、５色目でターンバーにて反転して裏刷りする場合、この５色目以降においての左右の見当調整方向が、前段の１〜４色の印刷と反対になってしまう。また、５色目で逆転走行方式で凸印刷により裏刷りをする場合は、天地及び左右とも前段と同一になるなど、操作者は紙通しや交換胴の組み合わせが変わるたびに、記憶やメモを頼りに操作していた。さらに、フォーム印刷では、表裏に加え、特色や減感インキが使用され、枚葉印刷機のように色目と使用色の関係が固定されていないため、印刷ユニットに貼り付けた「浅葱色」等のメモを頼りに操作していた。
【０００８】
上記したように上記背景技術にて示した従来技術にあっては、紙通し、交換胴及び使用インキが変わるたびに見当調整作業が混乱したり、インキを誤供給したり、さらに「浅葱色」などわかりづらい特色については操作がしにくかった。
【０００９】
本発明は上記のことに鑑みなされたもので、紙通し、版胴交換によるオフセット印刷と凸印刷の変更、使用インキの変更等の各印刷ユニットの印刷条件の変更の際における見当調整作業を操作パネル上において直感的にスムーズに行うことができるようにした見当調整表示装置を提供することを目的とするものである。
【課題を解決するための手段】
【００１０】
上記目的を達成するために、本発明に係る見当調整表示装置は、逆転裏刷り、表刷り、ターンバー反転裏刷り及びオフセット印刷、凸印刷のように印刷条件が異なり、かつそれぞれに見当調整機構を備えた複数の印刷ユニットのそれぞれの見当調整を１つの操作パネルにて行うようにした見当調整表示装置において、操作パネルに、各印刷ユニットの見当調整機構を指定するユニットボタンと、各印刷ユニットの印刷条件を指定する条件指定ボタンと、複数の移動量設定ボタンと、上記各ユニットボタンにて指定された印刷ユニットの見当調整機構を上記条件指定ボタンによる指定に応じて上記移動量設定ボタンにより設定された移動量にわたって前進移動、後進移動、ＯＳ移動、ＧＳ移動の各移動を指示する各ボタンを有する移動コマンドボタンを設けた構成になっている。
【００１１】
上記見当調整表示装置において、ユニットボタンを変色可能にすると共に、指定されたユニットボタンの色を選定する色選定手段を操作パネルに設け、そしてこの色選定手段がカラーコードであり、カラーコードを各印刷ユニットにて用いられる各色の濃淡にわたる色見本ボタンとし、あるいはこの色選定手段をインキのラインアップ表示とした。
【発明の効果】
【００１２】
本発明の請求項１の構成によれば、各印刷ユニットの印刷条件、すなわち逆転裏刷り、表刷り、ターンバー反転裏刷り及びオフセット印刷、凸印刷の印刷条件を操作パネルにて指定できることにより、各印刷ユニットの印刷条件の変更に応じて行われる紙通し、版胴交換によるオフセット印刷と凸印刷の変更の際における見当調整作業を操作パネルにおいて直感的にスムーズに行うことができ、見当調整に際して操作ミスを少なくできると共に、作業負担、損紙、ロス時間を大幅に軽減することができる。
【００１３】
請求項２の構成によれば、指定されたユニットボタンの色を、操作パネルに設けられた色選定手段を操作することにより、このユニットボタンに対応する印刷ユニットで使用するインキと同色にすることができて各色の見当調整の際に、ユニットボタンの選択ミスをなくすことができる。またこれにより操作パネルにユニットボタンの色によって、このユニットボタンにて指定する印刷ユニットの使用インキの関係が常時表示することができ、印刷ユニットにおけるインキの誤供給の恐れを少なくすることができる。
【００１４】
そして上記カラーコードが各色の濃淡にわたる色見本ボタンにし、あるいはインキのラインアップ表示にしたことにより、ユニットボタンの色を浅葱色（浅いあい色）等のようにわかりづらい特色でも容易に指定することができる。しかもこの色指定が色見本ボタンを押すことによって行うことができ、操作が簡単である。
【発明を実施するための最良の形態】
【００１５】
本発明の実施の形態を図３以下に基づいて説明する。
【００１６】
図３は、本発明に係る見当調整表示装置を備えた交換胴式フォーム印刷機を示すもので、４色印刷可能にするために、４台の印刷ユニット１ａ，１ｂ，１ｃ，１ｄが給紙機２からの連続紙３の走行方向に直列状に配置されている。そしてこの印刷ユニットの下流側にファイルパンチ加工機４、縦ミシン目加工機５、横ミシン目加工機６、折り畳み機７等からなる加工部８が配置されており、この加工部８の端部に制御装置９が設置されている。
【００１７】
上記４台の印刷ユニット１ａ〜１ｄにおいて、第１の印刷ユニット１ａはオフセット印刷機（３胴）、第２の印刷ユニット１ｂは凸印刷機（２胴）、第３の印刷ユニット１ｃはオフセット印刷機、第４の印刷ユニット１ｄは凸印刷機が用いられている。そして第１の印刷ユニット１ａは連続紙３を逆転走行させて裏刷り印刷されるようになっている。第２・第３の印刷ユニット１ｂ，１ｃは、上記第１の印刷ユニット１ａを通過した連続紙３は再び反転されて通過して表刷り印刷されるようになっている。また第４印刷ユニット１ｄは、ターンバー装置１０にて反転された連続紙３が通過して裏刷り印刷されるようになっている。そして例えば、第１の印刷ユニット１ａでは浅葱色が、第２の印刷ユニット１ｂでは青（シアン）色が、第３の印刷ユニット１ｃでは赤（マゼンタ）が、さらに第４の印刷ユニット１ｄでは黒（ブラック）がそれぞれ印刷されるようになっている。
【００１８】
したがって、この交換胴式フォーム印刷機では、連続紙３の裏面に第１・第４の印刷ユニット１ａ，１ｄにて浅葱色と黒色の２色の、また表面に第２・第３の印刷ユニット１ｂ、１ｃにて青色と赤色の２色のそれぞれの絵柄が印刷されるようになっている。
【００１９】
なお、上記第４の印刷ユニット１ｄの上流側に設けたターンバー装置１０は、通常の反転作用をするものが用いられるが、その一例を図４に示す。この構成は、入口ローラ１１を通過した連続紙３は４５度傾斜した第１ターンバー１２、垂直に設けられた第１中間ローラ１３、上記第１ターンバー１２と逆方向に４５度傾斜した第２ターンバー１４、水平に設けられた第２中間バー１５、上記入口ローラ１１と平行に配置される出口ローラ１６を通過する間に反転されるようになっている。
【００２０】
上記各印刷ユニット１ａ〜１ｄのそれぞれは、見当調整表示装置にて各絵柄の前進・後進（天地）方向、ＯＳ・ＧＳ（手前側・奥側）方向の各見当調整を各印刷ユニットごとに行うことができるようになっている。なお、これらの見当調整は上記した特許文献１に示されているように公知の見当調整機構にて行われるようになっている。
【００２１】
上記前進・後進方向とＯＳ・ＧＳ方向の見当合わせは、印刷ユニットの見当モータを正転、逆転することにより行われる。
【００２２】
このときにおいて、図５の見当モータ動作方向テーブルに示したように、印刷ユニットの使用条件によって前進と後進の方向、及びＯＳとＧＳの方向が異なる。
【００２３】
すなわち、表印刷の場合で３胴式であるオフセット印刷ではＴ１に示すように、前進方向に見当をずらせるには連続紙の走行側へ版胴の位相をずらせる方向にモータを駆動し、また後方向に見当をずらせるには連続紙の走行方向と逆側へ版胴の位相をずらせる。それが２胴式である凸印刷の場合にはＴ２に示すようにそれぞれが逆方向になるようにモータを駆動する。
【００２４】
そして、裏印刷の場合でターンバー装置１０を用いて反転する場合のオフセット印刷と凸印刷はＴ３，Ｔ４に示すようになり、上記表印刷の前進と後進と同一になる。また、逆転走行により反転する場合のオフセット印刷と凸印刷はＴ５，Ｔ６に示すように上記ターンバー装置１０を用いた場合と逆になる。
【００２５】
一方、表印刷でオフセット印刷と凸印刷の双方ともＴ１，Ｔ２にて示すように、ＯＳ方向への見当合わせは手前（ＯＳ）側へ、ＧＳ方向への見当合わせは奥側（ＧＳ）側へそれぞれ見当がずれるようにモータを駆動する。また、裏印刷でターンバー装置１０を用いてのオフセット印刷と凸印刷ではＴ３，Ｔ４に示すように、上記表印刷におけるオフセット印刷と凸印刷の場合と逆となり、また逆転走行により反転する場合にはＴ５，Ｔ６に示すように上記表印刷におけるオフセット印刷と凸印刷の場合と同一になる。
【００２６】
上記各印刷ユニット１ａ〜１ｄのそれぞれの見当調整を行う見当調整機構は、制御装置９に設けられた見当調整表示装置の操作パネル１７にて操作するようになっている。
【００２７】
図６は上記操作パネル１７を示すもので、図中１８は各印刷ユニット１ａ〜１ｄに対応する第１・第２…のユニットボタン１８ａ，１８ｂ，１８ｃ…を備えた印刷ユニット選択ボタンで、この実施の態様では１０台の印刷ユニットに対応することができるようになっている。そしてこの各印刷ユニット選択ボタン１８でのユニットボタンを押すことにより、それに対応する印刷ユニットが見当調整対象として設定されるようになっている。
【００２８】
１９ａ，１９ｂ，１９ｃは各ユニットボタン１８ａ，１８ｂ…に付属して設けられていて，１９ａは押さなければオフセット印刷に指定され、押すことにより凸印刷に指定されるオフ／凸選択ボタン、１９ｂは押すことによって指定される表印刷指定ボタン、１９ｃは押すことによって指定される裏印刷指定ボタンであり、これらはこれらを付属させているユニットボタンにて設定される印刷ユニットの印刷条件に応じて操作するようになっている。また、各ユニットボタン１８ａ，１８ｂ…の両側にＯＳ，ＧＳ方向への見当調整が限界まで行われたときに点灯する限界ランプ２０ａ，２０ｂが設けられている。
【００２９】
２１は印刷ユニット一括選択ボタンで、各印刷ユニットが裏印刷である場合には裏印刷ボタン２１ａを、逆に表印刷である場合には表印刷ボタン２１ｂを選択する。
【００３０】
２２は移動コマンドボタンで、２２ａ，２２ｂは見当を前後方向に移動するための後退ボタン、前進ボタンであり，２２ｃ，２２ｄはＯＳ、ＧＳ方向へ見当を移動するためのＯＳボタン、ＧＳボタンである。
【００３１】
２３は上記移動コマンドボタン２２にて指定された方向における移動量を設定する移動量設定ボタンであり、０．０５ｍｍから１０ｍｍの範囲の移動量が設定されている。
【００３２】
２４は色選定ボタンで、この色選定ボタン２４を押すことによりカラーコード表示２５がパネル面に表示されるようになっている。カラーコード表示２５には色指定ボタン２６とカラーコード２７とを有しており、色指定ボタン２６には左側から横方向に黒ボタン２６ａ、黄（Ｙ）ボタン２６ｂ、緑（Ｇ）ボタン２６ｃ、ブルー（Ｃ）ボタン２６ｄ、赤（Ｍ）ボタン２６ｅ、グレーボタン２６ｆが配置されている。カラーコード２７は上記各色指定ボタン２６ａ〜２６ｆに対応する複数の色見本コードが縦方向に列状に設けてあり、各色見本コードは上から下側へ順に淡色から濃色に徐々に変化されている。そして上記色指定ボタン２６のうちのこれに対応する色見本コードを選択してこれを押すことにより、このときに押されている１つのユニットボタンの色が色見本コードの色になるようになっている。
【００３３】
２８は一括オフ／凸選択ボタンで、印刷ユニット選択ボタン１８の複数のユニットボタンがＯＮになっているときに、この各ユニットボタンにて指定された複数の印刷ユニットを一括してオフセット印刷あるいは凸印刷に指定することができるようにしている。なお、このボタンは押せば凸、押さなければオフセット印刷に指定されるものである。
【００３４】
２９はターンバー／逆転ボタンで、印刷ユニット選択ボタン１８のユニットボタン１８ａ，１８ｂ…にて指定された印刷ユニットがターンバー装置１０の下流側にある場合（印刷ユニットｄ）にはＴＢボタンを、ローラーにて逆転走行させるようにした印刷ユニットの場合（印刷ユニット１ａ）には逆転ボタンをそれぞれ押す。
【００３５】
この操作パネル１７における各ボタンは、わずかな押し力にて反応するタッチパネルが用いられている。
【００３６】
次に上記構成の見当調整装置の操作パネル１７による操作を説明する。
【００３７】
図３に示した各印刷ユニット１ａ，１ｂ，１ｃ，１ｄは上記したように、第１の印刷ユニット１ａはオフセット印刷であり、逆転走行による裏刷り印刷で、かつ浅葱色を、第２の印刷ユニット１ｂは凸印刷であり、表刷り印刷で、かつ青色を、第３の印刷ユニット１ｃはオフセット印刷であり、表刷り印刷で、かつ赤色を、第４の印刷ユニット１ｄは凸印刷であり、ターンバー装置１０により反転された裏刷り印刷で、かつ黒色をそれぞれ印刷するものとする。
【００３８】
（１）印刷ユニット１ａ〜１ｄに対応するユニットボタン１８ａ〜１８ｄの色を各印刷ユニットにおける使用インキと同色にする操作を行う。
【００３９】
（１−ａ）まず、いずれか１つのユニットボタンに例えば第１の印刷ユニット１ａに対応する第１のユニットボタン１８ａを押す。
【００４０】
（１−ｂ）次に色選択ボタン２４を押してカラーコード表示２５を操作パネル１７に表示させて、第１の印刷ユニット１ａに印刷しようとする色である浅葱色を色見本コードから選択し、これを押下する。これにより、第１のユニットボタン１８ａの色が、この色見本コードにて選択された浅葱色になり、ユニットボタンの色と印刷ユニットにより印刷される色と同色になる。
【００４１】
（１−ｃ）以下同様に各ユニットボタン１８ｂ，１８ｃ，１８ｄを押すと共に、それぞれの印刷ユニットの色の色見本コードを押すことにより、それぞれのユニットボタンが上記印刷ユニットにて使用される色に合わせた色に設定される。
【００４２】
（２）各ユニットボタン１８ａ〜１８ｄの条件（表／裏、オフ／凸、ターンバー／逆転）を設定する。
【００４３】
（２−ａ）第１の印刷ユニット１ａはオフセット印刷であると共に、逆転で裏刷り印刷であるから、ユニットボタン１８ａに付属しているオフ／凸選択ボタン１９ａを押さない状態にしてこれをオフセット印刷に設定すると共に、裏印刷指定ボタン１９ｃを押して裏刷り印刷に設定し、さらにターンバー／逆転ボタン２９の逆転ボタンを押して逆転に設定する。これにより、図５に示した見当モータ動作方向テーブルの裏刷り印刷・逆転オフセット印刷Ｔ５に設定される。
【００４４】
（２−ｂ）以下同様に、第２のユニットボタン１８ｂは、これによって設定される第２の印刷ユニット１ｂが青色印刷であることから、色見本コードのこれと同色の青色を押して、このユニットボタン１８ｂの色を印刷色と同色にする。また、第２の印刷ユニット１ｂが凸印刷、表刷り印刷であることにより、ユニットボタン１８ｂに付属するオフ／凸選択ボタン１９ａを押して凸印刷を選択すると共に、表印刷指定ボタン１９ｂを押してこの第２のユニットボタン１８ｂを凸印刷、表刷り印刷に設定する。これにより見当モータ動作方向テーブルの表刷り印刷・凸印刷Ｔ２に設定される。
【００４５】
（２−ｃ）第３のユニットボタン１８ｃは、これによって設定される第３の印刷ユニット１ｃが赤色印刷であることから、色見本コードのこれを同色の赤色を押して、このユニットボタン１８ｃの色を印刷色と同色にする。また、第３の印刷ユニット１ｃがオフセット印刷、表刷り印刷であることにより、ユニットボタン１８ｃに付属するオフ／凸選択ボタン１９ａを押さない状態にしてオフセット印刷に設定し、表印刷指定ボタン１９ｂを押して表刷り印刷に設定する。これにより見当モータ動作方向テーブルの表刷り印刷・オフセット印刷Ｔ１に設定される。
【００４６】
（２−ｄ）第４のユニットボタン１８ｄは、これによって設定される第４の印刷ユニット１ｄが黒色印刷であることから、色見本コードのこれを同色の黒色を押して、このユニットボタン１８ｄの色を印刷と同色にする。また、第４の印刷ユニット１ｄが凸印刷でターンバー装置１０による反転による裏刷り印刷であることにより、ユニットボタン１８ｄに付属するオフ／凸選択ボタン１９ａを押して凸印刷に設定すると共に、裏印刷指定ボタン１９ｃを押して裏刷り印刷に設定し、さらにターンバー／逆転ボタン２９のターンバーボタンを押してターンバー反転に設定する。これにより見当モータ動作方向テーブルの裏刷り印刷・ターンバー反転・凸印刷Ｔ４に設定される。
【００４７】
また、第２と第４の印刷ユニット１ｂ，１ｄが凸印刷であることにより、第２と第４のユニットボタン１８ｂ，１８ｄを押した状態でこれらに付属するボタンによることなく、一括オフ／凸選択ボタン２８を押して両ユニットボタン１８ｂ，１８ｄを凸印刷に一括して設定することができる。
【００４８】
上記した操作により各ユニットボタン１８ａ〜１８ｄの設定が完了する。そしてこの状態で制御装置９の操作に従って交換胴式フォーム印刷機が運転されて連続紙３にはこれの表面に第２と第３の印刷ユニット１ｂ、１ｃにて青色と赤色の２色印刷され、裏面に第１と第４の印刷ユニット１ａ，１ｄにて浅葱色と黒色の２色印刷される。
【００４９】
このときにおいて、表面に印刷される赤色（マゼンタ）の絵柄の見当が天地方向後方に０.１５ｍｍずれていた場合の見当調整を以下に説明する。
【００５０】
上記赤色の絵柄は第３の印刷ユニット３ｃにて印刷されるのであるから、これに対応する第３のユニットボタン１８ｃを押す。このとき第３のユニットボタン１８ｃは、これに対応する第３の印刷ユニット１ｃにて印刷される色である赤色に設定してあることにより、視覚的にも第３のユニットボタン１８ｃを選択でき、ユニットボタンの誤操作の恐れがない。
【００５１】
ついで移動量設定ボタン２３の０.１５のボタンを押してから移動コマンド２２の前進ボタン２２ｂを押す。これにより第３の印刷ユニット１ｃの見当モータは、図５に示した動作方向テーブルの表刷り印刷・オフセット印刷Ｔ１にて動作し、天地方向の見当が０．１５ｍｍ前進されて上記のずれ量が見当合わせされる。
【００５２】
また、上記連続紙３に印刷された絵柄の黒色の絵柄が天地方向に０．３ｍｍ後方に、及びＯＳ側に２ｍｍずれていた場合で、この見当合わせをするには、まずこの絵柄を印刷したのが第４の印刷ユニット１ｄであるから第４のユニットボタン１８ｄを押す。このとき、この第４のユニットボタン１８ｄは上記絵柄と同色の黒色になっているので、直感的にこのユニットボタン１８ｄを押すことができ誤動作の恐れがない。
【００５３】
この状態で移動量設定ボタン２３の０．３のボタンを押してから移動コマンド２２の前進ボタン２２ｂを押し、ついで移動量設定ボタン２３の２のボタンを押してから移動コマンド２２のＧＳボタン２２ｄを押す。これにより第４の印刷ユニット１ｄの見当モータは、図５に示した動作方向テーブルのターンバー・凸印刷Ｔ４にて動作し、天地方向の見当が０．３ｍｍ前進され、また前後方向の見当が２ｍｍＧＳ側に移動して上記ずれ量が見当合わせされる。
【００５４】
第１・第２の印刷ユニット１ａ，１ｂの場合も上記第３・第４の印刷ユニット１ｃ，１ｄの場合と同じに、それぞれのユニットボタン１８ａ，１８ｂを押してから見当合わせに応じて移動量設定ボタン２３を押してから移動コマンド２２を押すことにより所定量及び所定方向の見当合わせが行われる。
【００５５】
図６に示したカラーコード表示２５に代えて図７に示したインキのラインアップ表示３０を用いてもよい。この場合、各表示色を直接的に文字で表示し、右側の上下ボタン３１ａ、あるいは３１ｂを該当するインキ色が出るまで押下し、例えば「グリーン３」が表示されたらそのボタンを押すことにより、このときに押されているユニットボタンが「グリーン３」と称する色に変色される。
【図面の簡単な説明】
【００５６】
【図１】見当調整機構を備えた従来の印刷機を示す説明図である。
【図２】従来の操作パネルを示す正面図である。
【図３】本発明を適用する交換胴式フォーム印刷機を示す正面図である。
【図４】ターンバー装置の一例を示す説明図である。
【図５】見当モータ動作方向テーブルを示す説明図である。
【図６】本発明に係る見当調整表示装置の操作パネルを示す正面図である。
【図７】インキのラインアップ表示を示す図である。
【符号の説明】
【００５７】
１ａ，１ｂ，１ｃ，１ｄ…印刷ユニット、２…給紙機、３…連続紙、４…ファイルパンチ加工機、５…縦ミシン目加工機、６…横ミシン目加工機、７…折り畳み機、８…加工部、９…制御装置、１０…ターンバー装置、１１…入口ローラ、１２，１４…ターンバー、１３，１５…中間バー、１６…出口ローラ、１７…操作パネル、１８…印刷ユニット選択ボタン、１８ａ，１８ｂ，１８ｃ，１８ｄ…ユニットボタン、１９ａ…オフ／凸選択ボタン、１９ｂ…表印刷指定ボタン、１９ｃ…裏印刷指定ボタン、２０ａ，２０ｂ…限界ランプ、２１…印刷ユニット一括選択ボタン、２１ａ…裏印刷ボタン、２１ｂ…表印刷ボタン、２２…移動コマンドボタン、２２ａ…後退ボタン、２２ｂ…前進ボタン、２２ｃ…ＯＳボタン、２２ｄ…ＧＳボタン、２３…移動量設定ボタン、２４…色選定ボタン、２５…カラーコード表示、２６…色指定ボタン、２７…カラーコード、２８…一括オフ／凸選択ボタン、２９…ターンバー／逆転ボタン、３０…インキのラインアップ表示、３１ａ，３１ｂ…上・下ボタン。
【図１】
0005008517.tif 000002
【図２】
0005008517.tif 000003
【図３】
0005008517.tif 000004
【図４】
0005008517.tif 000005
【図５】
0005008517.tif 000006
【図６】
0005008517.tif 000007
【図７】
0005008517.tif 000008